(57)【要約】【課題】あり溝に対して摩耗あるいは破損したラックと新しいラックの交換を容易に行なえるようにした引戸の制動設備用ラックの取り付け機構を提供する。【解決手段】引戸の閉動時に閉動制動用ラック２９とピニオンの噛合によりピニオンを前記所定方向に回転させることによって引戸に制動力を与えるように構成した引戸の制動設備において、あり溝３０の長手方向適所において閉動制動用ラック２９が抜ける程度の開口部３０ｄを形成し、前記閉動制動用ラック２９はあり溝３０内において長手方向両端がストッパー手段により止められ、この長手方向両端のストッパー手段の内、少なくとも一方のストッパー手段は前記あり溝３０内で移動可能なプレート３６により構成して、このプレート３６を移動させることにより閉動制動用ラック２９を開口部３０ｄ側に移動可能とした。【選択図】    図１４
2005281991.tif 000002
【特許請求の範囲】
【請求項１】
レールに吊り下げられた引戸がレールに沿って自動的に閉動するように構成し、引戸の上端に、所定方向の回転動作を逆方向の回転動作に比べて制動させる制動装置を介してピニオンを取り付け、前記レールに沿って戸先に近い位置であり溝内に取り付けられたラックに前記ピニオンを噛合させて、引戸の閉動時にラックとピニオンの噛合によりピニオンを前記所定方向に回転させることによって引戸に制動力を与えるように構成した引戸の制動設備において、あり溝の長手方向適所においてラックが抜ける程度の開口部を形成し、前記ラックはあり溝内において長手方向両端がストッパー手段により止められ、この長手方向両端のストッパー手段の内、少なくとも一方のストッパー手段は前記あり溝内で移動可能なプレートにより構成して、このプレートを移動させることによりラックを開口部側に移動可能としたことを特徴とする引戸の制動設備用ラックの取り付け機構。
【請求項２】
戸尻寄りのラックの端部をあり溝の底部に押し付ける手段を設けたことを特徴とする請求項１記載の引戸の制動設備用ラックの取り付け機構。
【請求項３】
レールに吊り下げられた引戸がレールに沿って開動するように構成し、引戸の上端に、所定方向の回転動作を逆方向の回転動作に比べて制動させる制動装置を介してピニオンを取り付け、前記レールに沿って戸尻に近い位置であり溝内に取り付けられたラックに前記ピニオンを噛合させて、引戸の開動時にラックとピニオンの噛合によりピニオンを前記所定方向に回転させることによって引戸に制動力を与えるように構成した引戸の制動設備において、あり溝の長手方向適所においてラックが抜ける程度の開口部を形成し、前記ラックはあり溝内において長手方向両端がストッパー手段により止められ、この長手方向両端のストッパー手段の内、少なくとも一方のストッパー手段は前記あり溝内で移動可能なプレートにより構成して、このプレートを移動させることによりラックを開口部側に移動可能としたことを特徴とする引戸の制動設備用ラックの取り付け機構。
【請求項４】
戸先寄りのラックの端部をあり溝の底部に押し付ける手段を設けたことを特徴とする請求項３記載の引戸の制動設備用ラックの取り付け機構。
【発明の詳細な説明】
【技術分野】
【０００１】
本発明は、引戸の制動設備用ラックの取り付け機構に関するものである。
【背景技術】
【０００２】
従来の引戸の制動設備としては、例えば特許文献１に開示されているように、回動自在な軸体が突出され、この軸体の所定の正方向の回動動作を逆方向の回動動作に比べて制動させながら行わせる制動装置と、この制動装置側に設けられて前記軸体に連動して回転するピニオンと、固定側の部材の戸先寄り箇所における、引戸の閉止方向への移動時に前記ピニオンに噛合して前記軸体を前記正方向に回転させる側に配置され、引戸の閉止動作時に引戸が完全に閉止される前に前記ピニオンに噛合して前記軸体を前記正方向に回転させることにより引戸の閉止動作を制動させながら行わしめる閉止制動用ラックと、固定側の部材の戸尻寄り箇所における、前記閉止制動用ラックが配置されている側とは反対側の対称位置に配置され、引戸の開放動作時に引戸が完全に開放される前に前記ピニオンに噛合して前記軸体を前記正方向に回転させることにより引戸の開放動作を制動させながら行わしめる開放制動用ラックとを備えてなる引戸の制動設備が知られている。
【特許文献１】特許第２７３０８７１号公報
【発明の開示】
【発明が解決しようとする課題】
【０００３】
上記した特許文献１に開示されている引戸の制動設備において、前記閉止制動用ラックおよび開放制動用ラックは引戸を開および閉方向に移動可能に吊り下げるフレームに前記ピニオンと噛合するように取り付けられいる。詳しくは、前記閉止制動用ラックは前記フレームの下端板部の上面に形成されたあり溝に挿入され、また前記開放制動用ラックは前記フレームの上側に取り付けられたフレームの上端板部の下面に形成されたあり溝に挿入されているのであるが、摩耗あるいは破損したラックを取り外し、新しいラックと取り替える場合、前記フレームを取り外さなければならず、ラックの交換に非常に手間がかかるという問題があった。また、ラックとあり溝との係合部に隙間、所謂遊びがあると引戸の開閉時にピニオンがラックに噛み合う瞬間においてラックがあり溝に当たり、衝撃音が発生するという問題がある。
【０００４】
本発明の目的は、このような課題を解決するものであり、あり溝に対して摩耗あるいは破損したラックと新しいラックの交換を容易に行なえ、あり溝内でのラックの遊びによる衝撃音の発生を防止できるようにした引戸の制動設備用ラックの取り付け機構を提供することにある。
【課題を解決するための手段】
【０００５】
本発明の請求項１に記載の引戸の制動設備用ラックの取り付け機構は、レールに吊り下げられた引戸がレールに沿って自動的に閉動するように構成し、引戸の上端に、所定方向の回転動作を逆方向の回転動作に比べて制動させる制動装置を介してピニオンを取り付け、前記レールに沿って戸先に近い位置であり溝内に取り付けられたラックに前記ピニオンを噛合させて、引戸の閉動時にラックとピニオンの噛合によりピニオンを前記所定方向に回転させることによって引戸に制動力を与えるように構成した引戸の制動設備において、あり溝の長手方向適所においてラックが抜ける程度の開口部を形成し、前記ラックはあり溝内において長手方向両端がストッパー手段により止められ、この長手方向両端のストッパー手段の内、少なくとも一方のストッパー手段は前記あり溝内で移動可能なプレートにより構成して、このプレートを移動させることによりラックを開口部側に移動可能としたことを特徴とする。
【０００６】
請求項２に記載の引戸の制動設備用ラックの取り付け機構は、戸尻寄りのラックの端部をあり溝の底部に押し付ける手段を設けたことを特徴とする。
請求項３に記載の引戸の制動設備用ラックの取り付け機構は、レールに吊り下げられた引戸がレールに沿って開動するように構成し、引戸の上端に、所定方向の回転動作を逆方向の回転動作に比べて制動させる制動装置を介してピニオンを取り付け、前記レールに沿って戸尻に近い位置であり溝内に取り付けられたラックに前記ピニオンを噛合させて、引戸の開動時にラックとピニオンの噛合によりピニオンを前記所定方向に回転させることによって引戸に制動力を与えるように構成した引戸の制動設備において、あり溝の長手方向適所においてラックが抜ける程度の開口部を形成し、前記ラックはあり溝内において長手方向両端がストッパー手段により止められ、この長手方向両端のストッパー手段の内、少なくとも一方のストッパー手段は前記あり溝内で移動可能なプレートにより構成して、このプレートを移動させることによりラックを開口部側に移動可能としたことを特徴とする。
【０００７】
請求項４に記載の引戸の制動設備用ラックの取り付け機構は、戸先寄りのラックの端部をあり溝の底部に押し付ける手段を設けたことを特徴とする。
【発明の効果】
【０００８】
以上のように、本発明の引戸の制動設備用ラックの取り付け機構は、あり溝の長手方向適所においてラックが抜ける程度の開口部を形成し、前記ラックはあり溝内において長手方向両端がストッパー手段により止められ、この長手方向両端のストッパー手段の内、少なくとも一方のストッパー手段は前記あり溝内で移動可能なプレートにより構成して、このプレートを移動させることによりラックを開口部側に移動可能としてあるので、プレートをあり溝内で移動させ、ラックの端部が前記開口部にくるまで移動させて、かかる状態で開口部よりラックを引き抜くことにより摩耗あるいは破損したラックを取り外し、新しいラックと取り替えることができる。また、引戸の閉動時に制動力を与えるために設けたラックの戸尻寄りのラックの端部をあり溝の底部に押し付けるように構成し、引戸の開動時に制動力を与えるために設けたラックの戸先寄りのラックの端部をあり溝の底部に押し付けるように構成してあるので、ピニオンがラックに突入するときにおいてラックの端部のたつきがなくなり、ピニオンがラックに突入するときにおける衝撃音の発生がなくなる。
【発明を実施するための最良の形態】
【０００９】
以下、本発明の実施の形態を、図面に基づいて具体的に説明する。
先ず、図１〜図１４に示す第１の実施の形態について説明すると、１は引戸であって、屋内の出入り口などの所定位置に設けられている上枠２、戸先側堅枠３、戸尻側堅枠４および床部５で形成された開口部に設けられている。
【００１０】
引戸１の上端の戸先寄りおよび戸尻寄りの所定箇所にはそれぞれ上方に延設されたブラケット６、７を介して戸車８、９が回転自在に支持されている。
また、上枠２には、戸先側に少し傾斜する姿勢で断面略Ｌ字状の傾斜フレーム１０が固定され、この傾斜フレーム１０に形成されたレール１１上に戸車８、９が転動自在に載置されている。従って、傾斜するレール１１上を戸車８、９が引戸１の自重で戸先側に転動することにより、引戸１が自動的に閉動する。
【００１１】
床部５には引戸１を開閉方向にガイドするガイドローラ１２が立設されている。また、戸尻寄りのブラケット７には、傾斜フレーム１０の戸尻寄りに設けられたストッパー１３と係合するストッパーローラ１４が取り付けられている。なお、上枠２の前面側には点検用カバー１５が設けられている。
【００１２】
戸先寄りのブラケット６には制動装置１６が取り付けられている。この制動装置１６は、図４〜図６に示すように、油が封入される密閉流路１７が形成されているケース本体１８と、このケース本体１８に取り付けられた蓋体１９と、ポンプ室２０内に第１、第２の歯車２１、２２が配置されて構成された歯車ポンプ２３と、一方向のみに油を通過させる逆止弁２４と、外部に露出している調整軸部２５ａを回動させることにより油の流量を調整可能な流量調節弁２５とが設けられている。
【００１３】
そして、第１の歯車２１が固定されている軸体２７がケース本体１８の背面側から水平に突出しており、この軸体２７の突出部分にピニオン２８が固定されている。このピニオン２８は金属または硬質合成樹脂などから形成されている。
【００１４】
図４に示すように、制動装置１６の密閉流路１７は、第１、第２の歯車２１、２２の噛合箇所に連通する第１、第２の連通通路１７ａ、１７ｂと、これら第１、第２の連通通路１７ａ、１７ｂと逆止弁２４との間を連通させる第１、第２の主通路１７ｃ、１７ｄと、第１、第２の連通通路１７ａ、１７ｂと流量調整弁２５の先端が嵌入されて第１、第２の副通路１７ｅ、１７ｆ同士を連通させる調整用連通通路１７ｇとからなっており、第１、第２の連通通路１７ａ、１７ｂが第１、第２の主通路１７ｃ、１７ｄと第１、第２の副通路１７ｅ、１７ｆに分岐されている。
【００１５】
そして、第１または第２の主通路１７ｃ、１７ｄより送り出される油が逆止弁２４を通して一方向のみに規制されると同時に、第１または第２の副通路１７ｅ、１７ｆから送り出される油が調整用連通通路１７ｇを介して予め流量調整弁２５により調整された流量分だけ流れて循環するようになっている。
【００１６】
また、逆止弁２４は、調整室２４ａにフロート球２４ｂが保持されており、これにより下部側の主通路１７ｄから上部側の主通路１７ｃへの油の流れが規制されるため、第１の歯車２１、軸体２７およびピニオン２８がａ方向に回転する際に油の流れ抵抗で制動されるようになっている。
【００１７】
なお、上部側の第１の主通路１７ｃから下部側の第２の主通路１７ｄへの油の流れは逆止弁２４にて規制されないため、第１の歯車２１、軸体２７およびピニオン２８がｂ方向に回転する際には油の流れ抵抗をあまり受けず、第１の歯車２１、軸体２７およびピニオン２８はｂ方向に制動されることなく軽快に回転する。
【００１８】
さらに、図１、図３に示すように、傾斜フレーム１０の下面部上における戸先寄り箇所には上方に向けて歯面が設けられている閉動制動用ラック２９が下端板部の上面に形成されたあり溝３０内に下端が係合して取り付けられ、引戸１が完全に閉じられる前の所定範囲位置で閉動制動用ラック２９にピニオン２８が噛合するようになっている。
【００１９】
従って、閉動制動用ラック２９にピニオン２８が噛合した状態では、引戸１を閉じる方向（ｃ方向）に移動しようとすると、ピニオン２８がａ方向に回転するためにこの閉動動作が制動される一方、引戸１を開く方向（ｄ方向）に移動させようとすると、ピニオン２８がｂ方向に回転するためにこの開動動作を軽快に行なうことができる。
【００２０】
また、図１に示すように、傾斜フレーム１０の戸尻寄り箇所の上部には断面逆Ｌ字状の補助フレーム３１が取り付けられるとともに、この補助フレーム３１にはその歯面が下方に向くように開動制動用ラック３２が上端板部の下面に形成されたあり溝３３内に上端が係合して取り付けられ、引戸１が完全に開かれる前の所定範囲位置で開動制動用ラック３２にピニオン２８が噛合するようになっている。従って、開動制動用ラック３２にピニオン２８が噛合した状態では、引戸１を開く方向（ｄ方向）に移動しようとすると、ピニオン２８がａ方向に回転するためにこの開動動作が規制される一方、引戸１を閉じる方向（ｃ方向）に移動しようとすると、ピニオン２８がｂ方向に回転するためこの閉動動作を軽快に行なうことができる。
【００２１】
そして、前記閉動制動用ラック２９は、図３、図７に示すように、戸先寄りのラック部材２９ａと、戸尻寄りのラック部材２９ｂとから形成されている。戸先寄りのラック部材２９ａはナイロン樹脂などの硬質合成樹脂から形成され、戸尻寄りのラック部材２９ｂはウレタンゴムなどの弾性材料から形成されている。
【００２２】
また、前記開動制動用ラック３２は、図８に示すように、戸尻寄りのラック部材３２ａと、戸先寄りのラック部材３２ｂとから形成されている。戸尻寄りのラック部材３２ａはナイロン樹脂などの硬質合成樹脂から形成され、戸先寄りのラック部材３２ｂはウレタンゴムなどの弾性材料から形成されている。
【００２３】
前記構成において、開かれた引戸１から手を離すことにより、傾斜されたレール１１上を戸車８、９が引戸１の自重で戸先側に転動することにより引戸１が自動的に閉動し、制動装置１６の軸体２７に設けたピニオン２８が閉動制動用ラック２９と噛合して引戸１の閉動動作が制動される。
【００２４】
そして、閉じられた引戸を手動によって開くときには、傾斜されたレール１１上を戸車８、９が手動で戸尻側に転動されることにより引戸１が開動し、制動装置１６の軸体２７に設けたピニオン２８が開動制動用ラック３２と噛合して引戸１の開動動作が制動される。
【００２５】
また、前記実施の形態では、閉動制動用ラック２９および開動制動用ラック３２をそれぞれラック部材２９ａと２９ｂおよびラック部材３２ａと３２ｂから形成したが、閉動制動用ラック２９およびは開動制動用ラック３２はそれぞれラック部材２９ａおよびラック部材３２ａのみから形成しても良い。
【００２６】
さらに、前記実施の形態では、右開きの引戸１を示したが、左開きの引戸にも対応することができることは勿論である。
さらに、前記制動装置１６は、油の流れ抵抗を利用するものの他、油の粘性を利用するもの、摩擦抵抗を利用するもの、ワンウェイクラッチを利用するものなどでも良い。
【００２７】
さらにまた、前記実施の形態では、引戸１を傾斜したレール１１に沿って自動的に閉動する例を示したが、引戸１を自動的に閉動させるには、ぜんまいばねを利用したものなどを用いることもできる。
【００２８】
以上、引戸の制動設備の全体構成について説明したが、次に前記あり溝３０に対する前記閉動制動用ラック２９の取り付け部について説明すると、先ず第１の実施の形態におけるラックの取り付け部は、図９〜図１４に示すように戸尻寄りのラック部材２９ｂの一端が一端に結合されている戸先寄りのラック部材２９ａの他端はあり溝３０の端部より挿入されたストッパー手段としての固定用のプレート３６により戸先側への移動が止められるようになっている。プレート３６には雌ねじ孔３６ａが形成されており、この雌ねじ孔３６ａに雄ねじ３７を螺入させて雄ねじ３７の先端をあり溝３０の底部３０ａに当接させながら締め付けることによりプレート３６が持ち上がり、プレート３６の両側があり溝３０の長手方向に沿う上端の両側の鍔部３０ｂに下側から当接し、プレート３６があり溝３０に固定され、あり溝３０に挿入されているラック部材２９ａの他端にプレート３６の一端が当接するようになっている。なお、ラック部材２９ａおよび２９ｂはともに同じ断面形状を呈し、下端にあり溝３０の上端の鍔部３０ｂに係合する鍔部２９ｄ，２９ｅを長手方向に沿って両側に備え、ラック部材２９ａおよび２９ｂの上端の歯部２９ｆ，２９ｇはあり溝３０の鍔部３０ｂ間より上方に突出するものである。さらに、ラック部材２９ａおよび２９ｂの下端の鍔部２９ｄ，２９ｅの上面には長手方向に沿って突状部２９ｈ，２９ｉが形成されている。前記プレート３６の一端は上記のようなラック部材２９ａおよび２９ｂの下端の鍔部２９ｄ，２９ｅに当接して戸先寄りのラック部材２９ａの他端側への移動を止めるものである。前記戸尻寄りのラック部材２９ｂの他端側にあってはあり溝３０の鍔部３０ｂを上方から叩いてかしめることにより鍔部３０ｂに下方に突出するストッパー手段としての突部３０ｃが形成され、この突部３０ｃを戸尻寄りのラック部材２９ｂの他端側に当てるようにすることにより戸尻寄りのラック部材２９ｂの他端側の移動を止めるようになっている。つまり、戸先寄りのラック部材２９ａと戸尻寄りのラック部材２９ｂからなる閉動制動用ラック２９は前記プレート３６と突部３０ｃとにより挟まれ、あり溝３０内での長手方向の動きが止められるとともに、引戸１の閉動時にピニオン２８が噛合し始める戸尻寄りのラック部材２９ｂの他端部はかしめによる突部３０ｃによってあり溝３０の底部３０ａに押し付けられることになるのであり溝３０内でのがたつきがなくなり、ピニオン２８がラック部材２９ｂに突入するときにおける衝撃音の発生がなくなる。なお、合成樹脂材料からなる閉動制動用ラック２９は摩耗や破損などにより取り替えの必要があり、その場合傾斜フレーム１０を上枠２に取り付けたまま取り替え作業を行なえるようにするために閉動制動用ラック２９の取り付け位置における中間部においてあり溝３０の上端の鍔部３０ｂを８ｃｍ程度の長さ範囲で無くし、あり溝３０の上端にラックが抜ける程度の開口部３０ｄを形成してある。これにより、閉動制動用ラック２９の取り替え時は前記突部３０ｃによって行き止まりとなっているので、前記雄ねじ３７を緩めてプレート３６をあり溝３０内で移動させ、閉動制動用ラック２９全体を戸尻寄りのラック部材２９ｂの他端部が前記開口部３０ｄに位置するまで移動させて、かかる状態で開口部３０ｄより閉動制動用ラック２９を斜め上方に引き抜くことにより摩耗した閉動制動用ラック２９を取り外し、新しい閉動制動用ラックを取り外し時とは逆の手順であり溝３０内に装着するのである。
【００２９】
次に、第２の実施の形態における閉動制動用ラック２９の取り付け部について図１５〜図１８に基づき説明すると、この第２の実施の形態では戸先寄りのラック部材２９ａの他端側にあり溝３０の鍔部３０ｂを上方から叩いてかしめにより形成した鍔部３０ｂに下方に突出するストッパー手段としての突部３０ｅを当接させ、この戸先寄りのラック部材２９ａに結合されている戸尻寄りのラック部材２９ｂの他端側にあっては戸尻寄りのラック部材２９ｂの下端の鍔部２９ｅの上面の突状部２９ｉにあり溝３０の鍔部３０ｂを上方から叩いてかしめにより形成した下方に突出する突部３０ｆを閉動制動用ラック２９があり溝３０内でスライドできる程度に軽く当接させるとともに、あり溝３０に挿入されたストッパー手段としての固定用のプレート３８により戸尻側への閉動制動用ラック２９の移動が止められるようになっている。このプレート３８も前記第１の実施の形態と同様に雌ねじ孔３８ａに螺入する雄ねじ３９を締め付けてあり溝３０に固定される。これにより、戸先寄りのラック部材２９ａと戸尻寄りのラック部材２９ｂからなる閉動制動用ラック２９は前記プレート３８と突部３０ｅとにより挟まれ、あり溝３０内での長手方向の動きが止められるとともに、引戸１の閉動時にピニオン２８が噛合し始める戸尻寄りのラック部材２９ｂの他端部はかしめによる突部３０ｆが突状部２９ｉに当接することによってあり溝３０内での上下方向の動きが規制されるのであり溝３０内でのがたつきがなくなり、ピニオン２８がラック部材２９ｂに突入するときにおける衝撃音の発生がなくなる。また、閉動制動用ラック２９の取り付け位置より戸尻側へ少しずれた位置においてあり溝３０の上端の鍔部３０ｂを８ｃｍ程度の長さ範囲で無くし、あり溝３０の上端にラックが抜ける程度の開口部３０ｇを形成してある。
【００３０】
閉動制動用ラック２９の取り替え時は前記突部３０ｅによって行き止まりとなっているので、前記雄ねじ３９を緩めてプレート３８をあり溝３０内で移動させ、閉動制動用ラック２９全体を戸尻寄りのラック部材２９ｂの他端部が前記開口部３０ｇに位置するまで移動させて、かかる状態で開口部３０ｇより閉動制動用ラック２９を斜め上方に引き抜くことにより摩耗あるいは破損した閉動制動用ラック２９を取り外し、新しい閉動制動用ラックを取り外し時とは逆の手順であり溝３０内に装着するのである。
【００３１】
次に、第３の実施の形態における閉動制動用ラック２９の取り付け部について図１９に基づき説明すると、前記第２の実施の形態では戸尻寄りのラック部材２９ｂの下端の鍔部２９ｅの上面の突状部２９ｉにあり溝３０の鍔部３０ｂを上方から叩いてかしめにより形成した下方に突出する突部３０ｆを閉動制動用ラック２９があり溝３０内でスライドできる程度に軽く当接させているが、この第３の実施の形態では戸先寄りおよび戸尻寄りのラック部材２９ａおよび２９ｂの下端の鍔部２９ｄ，２９ｅの上面に突状部２９ｈ，２９ｉを形成せず、戸尻寄りのラック部材２９ｂの他端部近傍における下端の両側の鍔部２９ｅの上面に小さな突起２９ｊを形成し、この突起２９ｊにあり溝３０の鍔部３０ｂを上方から叩いてかしめにより形成した下方に突出する突部３０ｆを当接させている。他の構成は前記第２の実施の形態と同じである。これにより、引戸１の閉動時にピニオン２８が噛合し始める戸尻寄りのラック部材２９ｂの他端部はかしめによる突部３０ｆが突起２９ｊに当接することによってあり溝３０内での上下方向の動きが規制されるのであり溝３０内でのがたつきがなくなり、ピニオン２８がラック部材２９ｂに突入するときにおける衝撃音の発生がなくなる。
【００３２】
閉動制動用ラック２９の取り替え時は前記第２の実施の形態と同様に雄ねじ３９を緩めてプレート３８をあり溝３０内で移動させ、閉動制動用ラック２９全体を戸尻寄りのラック部材２９ｂの他端部が前記開口部３０ｇに位置するまで移動させて、かかる状態で開口部３０ｇより閉動制動用ラック２９を斜め上方に引き抜くことにより摩耗あるいは破損した閉動制動用ラック２９を取り外し、新しい閉動制動用ラックを取り外し時とは逆の手順であり溝３０内に装着するのである。この第３の実施の形態では閉動制動用ラック２９の取り替え時において閉動制動用ラック２９を引き抜く際、前記かしめによる突部３０ｆから突起２９ｊが外れると閉動制動用ラック２９を簡単に引き抜くことができる。
【００３３】
さらに、第４の実施の形態における閉動制動用ラック２９の取り付け部について図２０〜図２１に基づき説明すると、前記第２の実施の形態および第３の実施の形態では閉動制動用ラック２９の戸尻寄りのラック部材２９ｂの動きを規制するためにあり溝３０の鍔部３０ｂを上方から叩いてかしめているが、第４の実施の形態では戸尻寄りのラック部材２９ｂの他端部における下端部に、戸尻側への閉動制動用ラック２９の移動を止める固定用のプレート３８の先端を嵌入させる凹部２９ｋを形成し、あり溝３０に挿入された固定用のプレート３８の先端を凹部２９ｋに嵌入させた状態でプレート３８を雌ねじ孔３８ａに螺入する雄ねじ３９を締め付けてあり溝３０に固定するようになっている。他の構成は前記第２の実施の形態や第３の実施の形態と同じである。これにより、引戸１の閉動時にピニオン２８が噛合し始める戸尻寄りのラック部材２９ｂの他端部は凹部２９ｋに固定用のプレート３８の先端が嵌入することによりあり溝３０内での上下方向の動きが規制されるのであり溝３０内でのがたつきがなくなり、ピニオン２８がラック部材２９ｂに突入するときにおける衝撃音の発生がなくなる。
【００３４】
閉動制動用ラック２９の取り替え時は前記第２の実施の形態と同様に雄ねじ３９を緩めてプレート３８をあり溝３０内で移動させ、閉動制動用ラック２９全体を戸尻寄りのラック部材２９ｂの他端部が前記開口部３０ｇに位置するまで移動させて、かかる状態で開口部３０ｇより閉動制動用ラック２９を斜め上方に引き抜くことにより摩耗あるいは破損した閉動制動用ラック２９を取り外し、新しい閉動制動用ラックを取り外し時とは逆の手順であり溝３０内に装着するのである。
【００３５】
ところで、以上述べた第２〜第４の実施の形態において、戸先寄りのラック部材２９ａの他端側にあり溝３０の鍔部３０ｂを上方から叩いてかしめにより形成した突部３０ｅを当接させて閉動制動用ラック２９の戸先側への動きを止めるようにしているが、前記第１の実施の形態と同様にあり溝３０に挿入された固定用のプレートにより戸先側への動きを止めるようにしても良い。
【００３６】
また、ラック２９の取り替えのためにあり溝３０の上端の鍔部３０ｂを８ｃｍ程度の長さ範囲で無くし、あり溝３０の上端にラックが抜ける程度の開口部３０ｄ，３０ｇを形成してあるが、あり溝３０の底部３０ａにラックが抜ける程度の開口部を形成するようにしても良い。
【００３７】
また、閉動制動用ラック２９の端部を止めるためにねじ止めにより固定されるプレート３６，３８を用いているが、板ばね状のプレートを用いるようにしても良い。
さらに、以上述べた第２〜第４の実施の形態は、あり溝３０に対する閉動制動用ラック２９の取り付け部についてであるが、あり溝３３に対する開動制動用ラック３２の取り付け部においても同様に実施することが可能である。
【図面の簡単な説明】
【００３８】
【図１】本発明の第１の実施の形態における引戸装置の全体構成を示す正面図である。
【図２】同引戸装置の要部を示す側面図である。
【図３】同引戸装置の制動装置、ピニオンおよび閉動制動用ラックの配置状態を示す正面図である。
【図４】同引戸装置の制動装置における蓋体を外した状態を示す正面図である。
【図５】同制動装置の背面図である。
【図６】同制動装置の平面図である。
【図７】同ピニオンの当接状態を示す説明図である。
【図８】同引戸装置における開動制動用ラックの配置状態およびピニオンの当接状態を示す説明図である。
【図９】同閉動制動用ラックを外した状態のあり溝部分の斜視図である。
【図１０】同閉動制動用ラックをあり溝に取り付けた状態を示す斜視図である。
【図１１】図１０のＡ部拡大断面図である。
【図１２】図１０のＢ部拡大断面図である。
【図１３】図１０のＣ部拡大断面図である。
【図１４】同閉動制動用ラックをあり溝から外す状態を示す斜視図である。
【図１５】本発明の第２の実施の形態において閉動制動用ラックを外した状態のあり溝部分の斜視図である。
【図１６】同閉動制動用ラックをあり溝に取り付けた状態を示す斜視図である。
【図１７】図１６のＤ部拡大断面図である。
【図１８】図１６のＥ部拡大断面図である。
【図１９】本発明の第３の実施の形態において閉動制動用ラックをあり溝に取り付けた状態を示す要部拡大断面図である。
【図２０】本発明の第４の実施の形態において閉動制動用ラックをあり溝に取り付けた状態を示す斜視図である。
【図２１】図２０のＦ部拡大断面図である。
【符号の説明】
【００３９】
１              引戸
８，９          戸車
１１              レール
１６              制動装置
２８              ピニオン
２９              閉動制動用ラック
２９ａ            戸先寄りのラック部材
２９ｂ            戸尻寄りのラック部材
２９ｄ，２９ｅ    鍔部
２９ｆ，２９ｇ    歯部
２９ｈ，２９ｉ    突状部
２９ｋ            凹部
２９ｊ            突起
３０              あり溝
３０ａ            底部
３０ｂ            鍔部
３０ｃ            突部
３０ｄ            開口部
３０ｅ            突部
３０ｆ            突部
３０ｇ            開口部
３２              開動制動用ラック
３２ａ            戸尻寄りのラック部材
３２ｂ            戸先寄りのラック部材
３３              あり溝
３６              プレート
３６ａ            雌ねじ孔
３７              雄ねじ
３８              プレート
３８ａ            雌ねじ孔
３９              雄ねじ
【図１】
2005281991.tif 000003
【図２】
2005281991.tif 000004
【図３】
2005281991.tif 000005
【図４】
2005281991.tif 000006
【図５】
2005281991.tif 000007
【図６】
2005281991.tif 000008
【図７】
2005281991.tif 000009
【図８】
2005281991.tif 000010
【図９】
2005281991.tif 000011
【図１０】
2005281991.tif 000012
【図１１】
2005281991.tif 000013
【図１２】
2005281991.tif 000014
【図１３】
2005281991.tif 000015
【図１４】
2005281991.tif 000016
【図１５】
2005281991.tif 000017
【図１６】
2005281991.tif 000018
【図１７】
2005281991.tif 000019
【図１８】
2005281991.tif 000020
【図１９】
2005281991.tif 000021
【図２０】
2005281991.tif 000022
【図２１】
2005281991.tif 000023